(57)【要約】【課題】ボックス型収納具に収納する方法において、ボックス型収納具の容量を維持しつつ、ハンドルを安定した姿勢で保持することができ、また、ラック型収納具に収納する方法において、ラックに対してハンドルを強固に保持することができ、かつ、ハンドルの持ち手を任意の方向へ向けた状態で保持できる保持具を提供する。【解決手段】ソケットレンチを構成する角ドライブを備えた工具を保持する保持具でおいて、角ドライブを抜き差しできる差込溝又は差込孔が形成された保持部と該保持部を任意の場所に固定するための固定部とを備え、保持部の差込溝又は差込孔に角ドライブを差し込んだ状態において角ドライブが差込溝又は差込孔に対して回転不可能になるようにする。【選択図】  図１
2016030297.tif 000002
【特許請求の範囲】
【請求項１】
ソケットレンチを構成する角ドライブを備えた工具を保持する保持具であって、角ドライブを抜き差しできる差込溝又は差込孔が形成された保持部と、保持部を任意の場所に固定するための固定部とを備えており、保持部の差込溝又は差込孔に角ドライブを差し込んだ状態において角ドライブが差込溝又は差込孔に対して回転不可能になることを特徴とする保持具。
【請求項２】
保持部の差込溝又は差込孔の内側面にロック雌部が形成されており、保持部の差込溝又は差込孔に角ドライブを差し込んだ状態において角ドライブの外側面から外方へ押し出されて突出するロック雄部がロック雌部に嵌り込む請求項１記載の保持具。
【請求項３】
固定部の一部又は全部が磁性体によって形成されており、保持部が非磁性体によって形成されている請求項１又は２のいずれかに記載の保持具。
【請求項４】
保持部に差込溝又は差込孔が複数形成されている請求項１乃至３のいずれかに記載の保持具。
【請求項５】
保持部の一部又は全部が固定部に対して回動可能になっている請求項１乃至４のいずれかに記載の保持具。
【請求項６】
前記請求項１乃至５のいずれかの保持具とソケットレンチを構成する角ドライブを備えた工具との組み合わせ。
【発明の詳細な説明】
【技術分野】
【０００１】
本発明は、保持具に関するものである。
【背景技術】
【０００２】
周知のとおり、ボルトやナットなどの被締緩物を締めたり・緩めたりするための工具であるソケットレンチ１００は、例えば、図１３に示すように、ハンドル１０１とソケット１０２とから構成されており、ハンドル１０１に設けられた角ドライブ１０３をソケット１０２に設けられた差込角１０４に抜き差しすることにより、ハンドル１０１に対してソケット１０２を着脱できるようになっており、また、ハンドル１０１に設けられた角ドライブ１０３をソケット１０２に設けられた差込角１０４に差し込むことにより、角ドライブ１０３の外側面から外方へ押し出されて突出するロック雄部１０５が差込角１０４の内側面に形成されたロック雌部１０６に嵌り込んでロックされた状態となってハンドル１０１からソケット１０２が不用意に脱落しないようになっている。
【０００３】
そして、ソケットレンチを使用する際には、予め用意された口径の異なる複数のソケットからなるソケットセットの中から被締緩物のサイズに適した口径のソケットを選択しハンドルに装着して使用することから、ソケットレンチは、ソケットセットとハンドルとを一緒に収納することが好ましい。
【０００４】
このため、従来からソケットレンチの収納方法として、ソケットセットとハンドルとを一緒にボックス型収納具やラック型収納具に収納する方法が採用されている。
【０００５】
前記ボックス型収納具に収納する方法においては、ソケットセットを構成する全てのソケットとハンドルとをまとめて揺れ動かないように保持できる専用トレーを用意し、ボックス内に固定した専用トレーにソケットセットとハンドルとを保持して収納する方法が一般的である。
【０００６】
前記ラック型収納具に収納する方法においては、ソケットセットを構成する全てのソケットをまとめて保持できる専用ホルダーを用意し、ラックに固定した保持具を介してソケットセットが保持された専用ホルダーとハンドルとを吊り下げて収納する方法が一般的であり、ハンドルを吊り下げる保持具としては、例えば、後出特許文献１には、壁面などに装着する取付体からＴ字状部材のヘッド部位の幅よりも狭い間隔を設けると共にＴ字状部材の柄の幅よりも広い間隔を設けて平行に位置付けられた一対のヘッド保持部を備えたＴ字型部材ホルダーが開示されており、また、後出特許文献２には、任意数の磁石と任意数の鉄片を交互に積層して配置し、その一積層面の各鉄片を磁石よりやや突出させることにより吸着部を形成するとともに、吸着部における鉄片の長さを最外方の鉄片間の間隔より長尺とした吸着体を内蔵した工具支持体が開示されている。
【先行技術文献】
【特許文献】
【０００７】
【特許文献１】特開２０１１−１４０１１２号公報
【特許文献２】実開昭５９−１８８１７８号公報
【発明の概要】
【発明が解決しようとする課題】
【０００８】
ところで、前記ボックス型収納具に収納する方法においては、ボックス内に固定した専用トレーによって収納スペースが圧迫され、ボックス型収納具の容量が減少してしまうという問題があるが、仮に、ボックス内に専用トレーを固定しなければ、ボックス型収納具の容量は維持できるものの、角ドライブの存在によって姿勢が不安定になり易いハンドルが揺れ動いて接触音が発生するという問題点があった。
【０００９】
また、前記ラック型収納具に収納する方法において、前記特許文献１に開示されたＴ字型部材ホルダーを使用すると、Ｔ字型部材の柄を下方へ向けた状態でしか保持できず、Ｔ字型部材の柄を任意の方向へ向けた状態で保持できないため、少なくとも上下方向に対してＴ字型部材の長さと同じだけのスペースがなければ使用することができないという問題点があった。
【００１０】
一方、前記特許文献２に開示された工具支持体を使用すれば、ハンドルを磁力で吸着して保持するため、ハンドルの柄を任意の方向へ向けた状態で保持できるが、作業員の接触などによってハンドルに対して何らかの外力が加わると、ハンドルが揺れ動いて磁力による吸着が比較的簡単に解かれてしまい落下する危険性があると共に、ハンドルが常時磁気に晒されて磁化してしまうという問題があった。
【００１１】
そこで、本発明者は、前記ボックス型収納具に収納する方法において、ボックス型収納具の容量を維持しつつ、ハンドルを安定した姿勢で保持することができ、また、前記ラック型収納具に収納する方法において、ラックに対してハンドルを強固に保持することができ、かつ、ハンドルの持ち手を任意の方向へ向けた状態で保持できる保持具を得ることを技術的課題として、その具現化をはかるべく、試行錯誤的に試作・実験を重ねた結果、ソケットレンチを構成する角ドライブを備えた工具を保持する保持具において、角ドライブを抜き差しできる差込溝又は差込孔が形成された保持部と該保持部を任意の場所に固定するための固定部とを備え、保持部の差込溝又は差込孔に角ドライブを差し込んだ状態において角ドライブが差込溝又は差込孔に対して回転不可能になるようにすればよいという刮目すべき知見を得、前記技術的課題を達成したものである。
【課題を解決するための手段】
【００１２】
前記技術的課題は、次の通りの本発明によって解決できる。
【００１３】
すなわち、本発明に係る保持具は、ソケットレンチを構成する角ドライブを備えた工具を保持する保持具であって、角ドライブを抜き差しできる差込溝又は差込孔が形成された保持部と、保持部を任意の場所に固定するための固定部とを備えており、保持部の差込溝又は差込孔に角ドライブを差し込んだ状態において角ドライブが差込溝又は差込孔に対して回転不可能になるものである。
【００１４】
また、本発明は、前記保持具において、保持部の差込溝又は差込孔の内側面にロック雌部が形成されており、保持部の差込溝又は差込孔に角ドライブを差し込んだ状態において角ドライブの外側面から外方へ押し出されて突出するロック雄部がロック雌部に嵌り込むものである。
【００１５】
また、本発明は、前記いずれかの保持具において、固定部の一部又は全部が磁性体によって形成されており、保持部が非磁性体によって形成されているものである。
【００１６】
また、本発明は、前記いずれかの保持具において、保持部に差込溝又は差込孔が複数形成されているものである。
【００１７】
また、本発明は、前記いずれかの保持具において、保持部の一部又は全部が固定部に対して回動可能になっているものである。
【００１８】
また、本発明は、前記いずれかの保持具とソケットレンチを構成する角ドライブを備えた工具とを組み合わせたものである。
【発明の効果】
【００１９】
本発明によれば、保持部に角ドライブを抜き差しできる差込溝又は差込孔を形成し、角ドライブを差込溝又は差込孔に差し込んだ状態において角ドライブが差込溝又は差込孔に対して回転できないようにしたので、工具を保持具に対して安定な姿勢で保持でき、角ドライブを差込溝又は差込孔から抜いて工具を９０度刻みで回転させて保持具に保持させることにより、工具の柄部を９０度刻みで任意の方向に向けることができる。また、差込溝又は差込孔の内側面にロック雌部を形成し、角ドライブを差込溝又は差込孔に差し込んだ状態において角ドライブのロック雄部がロック雌部に嵌り込むようにしたので、工具を保持具に対して強固に保持できる。さらに、固定部を磁石や吸盤で形成することによって工具の柄部を任意の方向に向けることができ、固定部を磁石で形成した場合には、保持部を非磁性体で形成することによって工具の磁化を防止することができる。
【００２０】
従って、本発明の産業上利用性は非常に高いといえる。
【図面の簡単な説明】
【００２１】
【図１】実施の形態１に係る保持具を示した斜視図である。
【図２】図１に示す保持具を示したＡ−Ａ断面図である。
【図３】実施の形態１に係る保持具の変形例を示した縦断面図である。
【図４】実施の形態２に係る変形例１の保持具を示した斜視図である。
【図５】図４に示す変形例２の保持具を示したＢ−Ｂ端面図である。
【図６】実施の形態２に係る変形例２の保持具を示した縦端面図である。
【図７】実施の形態２に係る変形例３の保持具を示した正面図である。
【図８】図７に示す変形例３の保持具を示した平面図である。
【図９】実施の形態３に係る変形例４の保持具を示した縦断面図である。
【図１０】実施の形態３に係る変形例５の保持具を示した縦断面図である。
【図１１】実施の形態３に係る変形例６の保持具を示した縦断面図である。
【図１２】本発明に係る保持具の変形例を示した斜視図である。
【図１３】ソケットレンチを示した側面図である。
【発明を実施するための形態】
【００２２】
以下、本発明の実施の形態を説明する。
【００２３】
実施の形態１．
【００２４】
本実施の形態に係る保持具１は、図１に示すように、ソケットレンチを構成する角ドライブを備えた工具を保持する保持部２と、保持部２を収納具の任意の場所に固定する固定部３とから構成されている。なお、本発明におけるソケットレンチを構成する角ドライブを備えた工具には、ラチェットハンドル、スピンナハンドル、スライドハンドル及びドライバハンドルなどのハンドル類の他、ユニバーサルジョイント、エクステンションバー及びアダプタなどのソケットとハンドルとの間に介在させて使用するアタッチメント類も含まれる。
【００２５】
保持部２は、非磁性体の材料を円柱状に加工したものであり、図２に示すように、先端側の上面には、角ドライブ１０３（図２中、点線にて示す。）を差し込むことができる差込孔４が形成されており、元端側の下面には、ネジ孔５が形成されている。そして、差込孔４の横断面は、角ドライブ１０３の横断面を僅かに大きくした略相似の正方形状に形成されており、これにより、差込孔４に角ドライブ１０３を差し込んだ状態において角ドライブ１０３が差込孔４に対して回転できないようになる。また、差込孔４の各内側面には、角ドライブ１０３のロック雄部１０５（図２中、点線にて示す。）が嵌り込む溝状のロック雌部６が形成されており、これにより、差込孔４に角ドライブ１０３を差し込んだ状態においてロック雄部１０５が差込孔４のいずれかの内側面に形成されたロック雌部６に嵌り込んで角ドライブ１０３が差込孔４から不用意に脱落しないようになる。
【００２６】
固定部３は、円盤状のカバー７と、カバー７に内包されるように貼り付けられる扁平円筒状の磁石８とから構成されており、カバー７には、磁石の中空と連通するように位置付けられる中央孔９が形成されている。
【００２７】
そして、保持部２と固定部３とは、固定部３を構成するカバー７の内側から中央孔９に通されたボルト１０のネジ部１１を保持部２のネジ孔５に締め付けることによって連結されている。
【００２８】
なお、非磁性体の材料としては、アルミニウムや樹脂などを使用すればよい。
【００２９】
次に、本実施の形態に係る保持具１によってラチェットハンドル、スピンナハンドル及びスライドハンドルなどの長手方向（軸方向）に直交するように伸びる角ドライブが設けられた工具を収納具に保持する方法を説明する。
【００３０】
先ず、固定部３を構成する磁石８の磁力によって保持具１を磁性体からなる収納具の任意の面に張り付ける。これにより、保持具１の保持部２に設けられた差込孔４が収納具の面に対して垂直方向に開口した状態となる。そして、保持具１の保持部２に設けられた差込孔４に工具に設けられた角ドライブ１０３を差し込む。この時、角ドライブ１０３のロック雄部１０３が差込孔４のいずれかの内側面に設けられたロック雌部６に嵌り込んでロックされた状態となる。
【００３１】
なお、差込孔４の横断面が角ドライブ１０３の横断面と略相似の正方形状であることから、固定部３を収納具に対して回転させることなく角ドライブ１０３を差込孔４から抜いて工具を９０度刻みで回転させて保持具１に保持させることにより、工具の柄部を９０度刻みで任意の方向に向けることができる。また、保持具１が磁石８の磁力で収納具に固定されていることから、固定部３を収納具に対して摺動回転させることにより、工具の柄部を任意の方向に向けることができる。さらに、工具がラチェットハンドルである場合には、固定部３を収納具に対して回転させることなく角ドライブ１０３を差込孔４に差し込んでラチェットハンドルをラチェット機構によって回転させることにより、ラチェットハンドルの柄部を任意の方向に向けることができる。
【００３２】
本実施の形態に係る保持具によれば、ラチェットハンドル、スピンナハンドル及びスライドハンドルなどの長手方向（軸方向）に直交するように伸びる角ドライブが設けられた工具を保持した際に、当該工具の柄部を収納具の面に対して平行に伸びる任意の方向に向けることができる。また、保持具に保持された工具が直接磁石に接触しないため、工具の磁化を防止できる。
【００３３】
なお、本実施の形態においては、固定部と保持部とをネジ止めによって連結しているが、図３に示すように、固定部３の上面に形成された断面Ｔ字状の円形軸１２を保持部２の下面に形成された断面Ｔ字状の円形軸受け１３に嵌め込んで連結することにより、固定部３に対して保持部２を自由に回転させることができ、これにより、固定部３を収納具に対して回転させることなく角ドライブ１０３が差込孔４に差し込んで工具を保持部２と共に回転させることにより、工具の柄部を任意の方向に向けることができる。
【００３４】
実施の形態２．
【００３５】
本実施の形態は前記実施の形態１に係る保持具の保持部の変形例であり、図４及び図５は、本実施の形態に係る変形例１を示した図面であり、図６は、本実施の形態に係る変形例２を示した図面であり、図７及び図８は、本実施の形態に係る変形例３を示した図面であり、図４〜図８において、図１〜図３と同一符号は同一又は相当部分を示している。
【００３６】
変形例１：本変形例に係る保持部２は、図４及び図５に示すように、四角柱状のものであり、先端側の上面及び各側面には、角ドライブを差し込むことができる差込孔４が形成されており、先端側の上面に形成された差込孔４ａの各内側面の中間位置に先端側の各側面に形成された差込孔４ｂが繋がっている。これにより、いずれか一つの差込孔４に角ドライブ１０３を差し込んだ状態において角ドライブ１０３のロック雄部１０５が該一つの差込孔４に対して直交する他の差込孔４に嵌り込んで該他の差込孔４がロック雌部６の役割を果たし、これにより、角ドライブ１０３が該一つの差込孔４から不用意に脱落しないようになる。
【００３７】
本変形例に係る保持部２によれば、先端側の各側面に形成された差込孔４ｂを利用して、ラチェットハンドル、スピンナハンドル及びスライドハンドルなどの長手方向（軸方向）に直交するように伸びる角ドライブ１０３が設けられた工具を保持した際に、当該工具の柄部を収納具の面から立ち上がるように伸びる任意の方向に向けることができ、また、ドライバハンドルやエクステンションバーなどの長手方向（軸方向）に沿って延長するように伸びる角ドライブ１０３が設けられた工具を保持した際に、当該工具の柄部を収納具の面に対して平行に伸びる任意の方向に向けることができる。
【００３８】
変形例２：本変形例に係る保持部２は、図６に示すように、固定部３に固定される支持部１４と、差込孔４が形成される回動部１５とからなっており、支持部１４の先端から二股状に伸びる支持片１６の間に回動部１５の元端側が挟まれた状態で軸止めされている。
【００３９】
本変形例に係る保持部２によれば、支持部１４に対する回動部１５の屈曲角度を調整することにより、工具の柄部を収納具の面に対して平行に伸びる方向に向けたり、立ち上げるように伸びる方向に向けたりすることができる。なお、本変形例においては、保持部の一部が固定部に対して回動する構成を採用したが、保持部の全部が固定部に対して回動する構成を採用してもよい。
【００４０】
変形例３：本変形例に係る保持部は、図７及び図８に示すように、扁平凹状のものであり、中央には、角ドライブを差し込むことができる差込溝１７が形成されている。そして、差込溝１７は、溝底１８に向かうに従って狭くなる三つの溝幅を有しており、当該三つの溝幅は、ＪＩＳ規格（ＪＩＳ  Ｂ４６３６−１及びＢ４６３６−２）において定められた角ドライブの幅から選択した三つの幅と一致している。また、差込溝１７の内側面には、角ドライブのロック雄部が嵌り込む溝状のロック雌部１９が形成されている。
【００４１】
本変形例に係る保持部２によれば、角ドライブの幅が異なる工具を保持することができる。なお、本変形例における差込溝を構成する溝幅は三つに限定されず、差込溝を複数の溝幅で形成すればよい。
【００４２】
実施の形態３．
【００４３】
本実施の形態は前記実施の形態１に係る保持具の固定部の変形例であり、図９は、本実施の形態に係る変形例４を示した図面であり、図１０は、本実施の形態に係る変形例５を示した図面であり、図１１は、本実施の形態に係る変形例６を示した図面であり、図９〜図１１において、図１〜図３と同一符号は同一又は相当部分を示している。
【００４４】
変形例４；本変形例に係る固定部は、図９に示すように、吸盤２０からなっており、保持部２の下面に形成された円形軸受け１３に吸盤２０の上面に形成された円形軸２１を嵌め込んで連結されている。
【００４５】
変形例５：本変形例に係る固定部は、図１０に示すように、バンド２２と、バンド２２の両端を連結する連結具２３とからなっており、保持部２の元端側を横方向に貫通する通孔２４にバンド２２を通して連結されている。
【００４６】
変形例６：本変形例に係る固定部は、図１１に示すように、断面Ｊ字状のフック２５からなっており、保持部２の下面に形成されたネジ孔５にフック２５の上面に形成されたネジ部２６を締め付けて連結されている。
【００４７】
なお、前記各実施の形態に係る保持具１は、一つの固定部３に対して一つの保持部２が連結されているが、図１２に示すように、一つの固定部３に対して複数の保持部２を連結してもよい。この時、保持部２毎に差込孔４の幅を変更すれば、幅の異なる角ドライブを保持することができる。
【符号の説明】
【００４８】
１  保持具
２  保持部
３  固定部
４  差込孔
５  ネジ孔
６  ロック雌部
７  カバー
８  磁石
９  中央孔
１０  ボルト
１１  ネジ部
１２  円形軸
１３  円形軸受け
１４  支持部
１５  回動部
１６  支持片
１７  差込溝
１８  溝底
１９  ロック雌部
２０  吸盤
２１  円形軸
２２  バンド
２３  連結具
２４  通孔
２５  フック
２６  ネジ部
１００  ソケットレンチ
１０１  ハンドル
１０２  ソケット
１０３  角ドライブ
１０４  差込角
１０５  ロック雄部
１０６  ロック雌部
【図１】
2016030297.tif 000003
【図２】
2016030297.tif 000004
【図３】
2016030297.tif 000005
【図４】
2016030297.tif 000006
【図５】
2016030297.tif 000007
【図６】
2016030297.tif 000008
【図７】
2016030297.tif 000009
【図８】
2016030297.tif 000010
【図９】
2016030297.tif 000011
【図１０】
2016030297.tif 000012
【図１１】
2016030297.tif 000013
【図１２】
2016030297.tif 000014
【図１３】
2016030297.tif 000015